(57)【要約】【課題】作業の中断をすること無いなど、より容易に来訪者の識別ができるようにする。【解決手段】携帯発信器１３０から送信される識別信号が、無線受信部１０１に受信される。無線受信部１０１が受信した無線の識別信号は、親機Ｉ／Ｆ部１０６介して屋内親機１１０に通知される。通知された識別信号は、子機Ｉ／Ｆ部１１９を介して制御部１１８に受け付けられ、制御部１１８は、受け付けた識別信号を認証処理部１１２に受け渡す。認証処理部１１２では、受け付けた識別信号と識別情報記憶部１１１に記憶されている登録済みの識別信号情報とを比較照合することにより、受け付けた識別信号の認証を行う。【選択図】  図１
2006019833.tif 000002
【特許請求の範囲】
【請求項１】
識別情報記憶部に所定の登録識別情報を記憶するステップと、
呼び出し操作を検出するステップと、
前記登録識別情報に対応する受信識別情報を無線で受信するステップと、
前記登録識別情報に対応した呼び出し音を出力するステップと
を少なくとも備えることを特徴とする呼び出し方法。
【請求項２】
請求項１記載の呼び出し方法において、
前記受信識別情報は、携帯発信器より送出され、かつ所定範囲内で無線通信可能な無線信号である
ことを特徴とする呼び出し方法。
【請求項３】
所定の登録識別情報を記憶する識別情報記憶部と、
呼出ボタンを供えてこの呼出ボタンの押下を検出するボタン押下検出手段と、
無線で送信された受信識別情報を受信する無線受信手段と、
この無線受信手段が受信した受信識別情報と前記識別情報記憶部に記憶されている受信識別情報情報を比較することで受信した前記受信識別情報を認証する認証処理手段と、
前記ボタン押下検出手段の検出した前記呼出ボタンの押下により、認証処理手段の認証に対応した呼び出し音を生成して出力する呼び出し音処理手段と
を少なくとも備えることを特徴とするドアホンシステムシステム。
【請求項４】
請求項３記載のドアホンシステムにおいて、
前記受信識別情報は、前記無線受信手段から所定範囲内に存在する携帯発信器より送信された無線信号である
ことを特徴とするドアホンシステム。
【発明の詳細な説明】
【技術分野】
【０００１】
本発明は、来訪者の識別を可能とした呼び出し方法及びドアホンシステムに関する。
【背景技術】
【０００２】
従来より、来訪者を認識するための手段としてドアホンシステム（インターホン）がある。玄関の外側に設けられた子機のボタンスイッチを来訪者が押下すると、屋内に設けられた親機より呼び出し音が出力され、出力された音により来訪者の存在を認識することが可能となる。
また、子機側に撮像装置が設けられ、親機側で撮像装置により撮像された来訪者を視認可能とするドアホンシステム（テレビモニター付きドアホンシステム）も開発されている（非特許文献１参照）。
【０００３】
なお、出願人は、本明細書に記載した先行技術文献情報で特定される先行技術文献以外には、本発明に関連する先行技術文献を出願時までに発見するには至らなかった。
【非特許文献１】ｈｔｔｐ：／／ｗｗｗ．ｉｓｉｚｅ．ｃｏｍ／ｃｇｉ−ｂｉｎ／ｒｐｅｒｌ５．ｐｌ／ｈｏｕｓｅ／０１／ｅｄｉｔ／ｄｉｃｔｉｏｎａｒｙ／ｍｏｋｕｊｉ−ｔａ．ｈｔｍｌ？ＰＡＧＥ＿ＩＤ＝＆ＳＥＱＵＥＮＣＥ＝＆ＲＡＮＤＯＭ＝＆ＩＳＩＺＥ＿ＡＲＥＡ＿ＣＤ＝０００
【発明の開示】
【発明が解決しようとする課題】
【０００４】
ところで、住居者にとって来訪者の識別は、自信の安全を確保する上で重要である。ところが、従来よりあるドアホンシステムでは、来訪者の識別ができなかった。これに対し、テレビドアホンシステムによれば、親機のモニターに来訪者を映し出すことができるので、来訪者の識別を行うことができる。
【０００５】
しかしながら、テレビドアホンシステムであっても、親機のモニターの表示を見るまで来訪者の識別ができないので、即時的に来訪者の識別ができないという問題があった。また、モニターによる確認は、行っている作業を中断する必要がある。
本発明は、以上のような問題点を解消するためになされたものであり、作業の中断をすること無いなど、より容易に来訪者の識別ができるようにすることを目的とする。
【課題を解決するための手段】
【０００６】
本発明に係る呼び出し方法は、識別情報記憶部に所定の登録識別情報を記憶するステップと、例えば呼出ボタンの押下などの呼び出し操作を検出するステップと、登録識別情報に対応する受信識別情報を無線で受信するステップと、登録識別情報に対応した呼び出し音を出力するステップとを少なくとも備える。従って、この方法によれば、受信識別情報の受信状態により、呼出ボタンの押下による呼び出し音の状態が異なる。
上記呼び出し方法において、受信識別情報は、携帯発信器より送出され、かつ所定範囲内で無線通信可能な無線信号である。
【０００７】
また、本発明に係るドアホンシステムは、所定の登録識別情報を記憶する識別情報記憶部と、呼出ボタンを供えてこの呼出ボタンの押下を検出するボタン押下検出手段と、無線で送信された受信識別情報を受信する無線受信手段と、この無線受信手段が受信した受信識別情報と識別情報記憶部に記憶されている受信識別情報情報を比較することで受信した受信識別情報を認証する認証処理手段と、ボタン押下検出手段の検出した呼出ボタンの押下により、認証処理手段の認証に対応した呼び出し音を生成して出力する呼び出し音処理手段とを少なくとも備えるものである。
従って、このドアホンシステムによれば、受信識別情報の受信状態により、呼出ボタンの押下にる呼び出し音の状態が異なる。
なお、受信識別情報は、無線受信手段から所定範囲内に存在する携帯発信器より送信された無線信号であればよい。
【発明の効果】
【０００８】
以上説明したように、本発明によれば、呼出ボタンが押下されたときに、受信識別情報の受信状態により呼び出し音の状態が異なるので、作業の中断をすること無いなど、より容易に来訪者の識別ができるようになるという優れた効果が得られる。
【発明を実施するための最良の形態】
【０００９】
以下、本発明の実施の形態について図を参照して説明する。
図１は、本発明の実施の形態におけるドアホンシステムの構成例を示す構成図である。
図１に示すドアホンシステムは、玄関子機１００と屋内親機１１０と携帯発信器１３０とを備える。
【００１０】
玄関子機１００は、無線受信部１０１，呼出ボタン部（ボタン押下検出手段）１０２，音声処理部１０３，スピーカ１０４，マイク１０５，親機Ｉ／Ｆ部１０６を備える。
また、屋内親機１１０は、識別情報記憶部１１１，認証処理部１１２，音声処理部１１３，スピーカ１１４，マイク１１５，操作入力部１１６，表示部１１７，制御部１１８，子機Ｉ／Ｆ部１１９を備える。
【００１１】
玄関子機１００の無線受信部１０１は、予め設定されている周波数の無線信号を受信する。例えば、無線受信部１０１は、携帯発信器１３０から送信された無線の識別信号（受信識別情報）を受信する。携帯発信器１３０から送信される識別信号は、所定範囲内で無線通信可能な無線信号である。例えば、携帯発信器１３０と無線受信部１０１との距離が８０ｃｍ以内であれば、携帯発信器１３０から送信される識別信号が、無線受信部１０１に受信される。無線受信部１０１が受信した無線の識別信号は、親機Ｉ／Ｆ部１０６介して屋内親機１１０に通知される。
【００１２】
通知された識別信号は、子機Ｉ／Ｆ部１１９を介して制御部１１８に受け付けられ、制御部１１８は、受け付けた識別信号を認証処理部１１２に受け渡す。認証処理部１１２では、受け付けた識別信号と、識別情報記憶部１１１に記憶されている登録済みの識別情報（登録識別情報）とを比較照合することにより、受け付けた識別信号の認証を行う。識別情報記憶部１１１には、携帯発信器１３０より発信される識別信号に対応する登録済みの識別情報が記憶されている。
【００１３】
呼出ボタン部１０２は、玄関子機１００の前面に配置された呼出ボタン（図示せず）を供え、訪問者の操作により呼出ボタンが押下されるとこれを検出する。呼出ボタン部１０２が呼出ボタンの押下を検出すると、検出された押下状態は、親機Ｉ／Ｆ部１０６を介して屋内親機１１０に通知される。
通知された押下状態は、子機Ｉ／Ｆ部１１９を介して制御部１１８に受け付けられる。押下状態の通知を受け付けた制御部１１８は、音声処理部１１３を制御し、スピーカ１１４より呼び出し音を出力させる。音声処理部１１３は、通常呼び出し音と一致者用呼び出し音との２つの異なる呼び出し音を生成する。
【００１４】
玄関子機１００において、マイク１０５から入力された音声は、音声処理部１０３により所定の音声信号に変換される。音声信号に変換されると、変換された音声信号は、親機Ｉ／Ｆ部１０６を介して屋内親機１１０に送信される。
送信された音声信号は、子機Ｉ／Ｆ部１１９を介して制御部１１８に受け付けられる。音声信号を受け付けた制御部１１８は、受け付けた音声信号を音声処理部１１３に受け渡す。音声処理部１１３では、受け渡された音声信号を音声に変換し、スピーカ１１４より出力させる。
【００１５】
また、屋内親機１１０において、マイク１１５から入力された音声は、音声処理部１１３により所定の音声信号に変換される。音声信号に変換されると、制御部１１８が、変換された音声信号を子機Ｉ／Ｆ部１１９を介して玄関子機１００に送信する。
送信された音声信号は、親機Ｉ／Ｆ部１０６を介して音声処理部１０３に受け付けられ音声に変換されてスピーカ１０４より出力される。
【００１６】
なお、識別情報記憶部１１１に記憶されている登録済みの識別情報は、例えば、利用者が操作入力部１１６を操作することで、予め入力されているものである。このとき、例えば、利用者による操作入力部１１６による操作（入力）状態は、表示部１１７に表示される。利用者は、表示部１１７に表示されている入力状態を確認した状態で、各種の情報の入力が行える。
【００１７】
次に、図１に示すドアホンシステムの動作例について、図２のフローチャートを用いて説明する。
まず、玄関子機１００の呼出ボタンが押下されると、この呼び出し操作が呼出ボタン部１０２により検出され、検出された押下状態が親機Ｉ／Ｆ部１０６及び子機Ｉ／Ｆ部１１９を介して制御部１１８に通知される。このようにして呼出ボタンの押下状態（呼び出し操作）を認識した制御部１１８は（ステップＳ２０１）、子機Ｉ／Ｆ部１１９，親機Ｉ／Ｆ部１０６を介して無線受信部１０１を動作させ、無線信号の受信動作状態とする（ステップＳ２０２）。
【００１８】
受信動作状態となった無線受信部１０１は、予め設定されている所定の周波数の無線信号を受信する。この状態で、玄関子機１００より所定の範囲内に携帯発信器１３０が存在していると、携帯発信器１３０より送信された識別信号が、無線受信部１０１に受信される。
無線受信部１０１により受信された信号は、親機Ｉ／Ｆ部１０６及び子機Ｉ／Ｆ部１１９を介して制御部１１８に受け付けられる。制御部１１８は、受け付けた信号が識別信号であるかどうかを判断する（ステップＳ２０３）。
【００１９】
制御部１１８は、識別信号を受け付けると、受け付けた識別信号を認証処理部１１２に受け渡す。識別信号を受け取った認証処理部１１２では、受け取った識別信号と、識別情報記憶部１１１に記憶されている登録済みの識別情報とを比較照合する（ステップＳ２０４）。
この照合の結果、受け取った識別信号に一致する登録済みの識別情報があれば（ステップＳ２０５）、認証処理部１１２は、認証されたことを制御部１１８に通知する。
認証の通知を受け付けた制御部１１８は、音声処理部１１３を制御して一致者用呼び出し音を生成させる（ステップＳ２０６）。
【００２０】
一方、受け付けた信号が識別信号ではない場合（ステップＳ２０３）、制御部１１８は、音声処理部１１３を制御して通常呼び出し音を生成させる（ステップＳ２０７）。また、受け付けた識別信号が認証制御部１１２により認証されない場合、制御部１１８は、音声処理部１１３を制御して通常呼び出し音を生成させる（ステップＳ２０７）。
以上のことにより音声処理部１１３が呼び出し音を生成すると、スピーカ１１４より生成された呼び出し音が出力される（ステップＳ２０８）。
【００２１】
従って、玄関子機１００の呼出ボタンが押下されたとき、玄関子機１００より所定距離の範囲内に、携帯発信器１３０があれば、携帯発信器１３０より無線送信された識別信号が無線受信部１０１に受信され、結果として認証処理部１１２により認証されることになるので、屋内親機１１０のスピーカ１１４からは、一致者用呼び出し音が出力される。
一方、玄関子機１００の呼出ボタンが押下されたとき、玄関子機１００より所定距離の範囲内に携帯発信器１３０が無い場合、屋内親機１１０のスピーカ１１４からは、通常呼び出し音が出力される。
【００２２】
例えば、訪問者が洋服の胸ポケットに携帯発信器１３０を所持していれば、訪問者が玄関子機１００の呼出ボタンを押下する状態では、携帯発信器１３０と玄関子機１００との距離は、概ね８０ｃｍ未満となっている。従って、例えば、携帯発信器１３０から発信された信号の受信可能な距離が８０ｃｍまでの範囲とすれば、上記訪問者による玄関子機１００の呼出ボタン押下により、屋内親機１１０のスピーカ１１４からは、一致者呼び出し音が出力されるようになる。
以上に説明したように、図１に示すドアホンシステムによれば、携帯発信器１３０を所持している訪問者と、所持していない訪問者とが、異なる呼び出し音により識別可能となる。
【００２３】
なお、一致者呼び出し音は１つに限るものではなく、複数の一致者呼び出し音を用いるようにしてもよい。例えば、識別情報記憶部１１１に記憶されている登録済みの複数の識別情報の数に対応させ、複数の一致者呼び出し音を備えるようにしてもよい。この場合、複数の携帯発信器を備え、各々の携帯発信器が、各々異なる識別信号を無線送信するものとすればよい。また、上述では、子機と親機と備えるようにしたが、これらは一体に構成してもよい。
【００２４】
ところで、携帯発信器１３０は、例えば、携帯電話機に組み込むなど、様々な携帯機器に組み込んで用いるようにしてもよい。
また、例えば、携帯発信器１３０は、いわゆるキーレスエントリーシステムと組み合わせてもよい。また、例えば、携帯発信器１３０は、非接触ＩＣカードや腕時計などに組み込まれていてもよい。
【図面の簡単な説明】
【００２５】
【図１】本発明の実施の形態におけるドアホンシステムの構成例を示す構成図である。
【図２】図１に示すドアホンシステムの動作例について説明するフローチャートである。
【符号の説明】
【００２６】
１００…玄関子機、１０１…玄関子機、１０２…呼出ボタン部、１０３…音声処理部、１０４…スピーカ、１０５…マイク、１０６…親機Ｉ／Ｆ部、１１０…屋内親機、１１１…識別情報記憶部、１１２…認証処理部、１１３…音声処理部、１１４…スピーカ、１１５…マイク、１１６…操作入力部、１１７…表示部、１１８…制御部、１１９…子機Ｉ／Ｆ部、１３０…携帯発信器。
【図１】
2006019833.tif 000003
【図２】
2006019833.tif 000004